(57)【要約】【課題】  セグメントの数を超える精度の表示をしても、容易に視認することができる表示装置を提案する。【解決手段】  表示器では、３個のＬＥＤ−Ａ，Ｂ，Ｃを備え、数値設定操作子を回転操作することにより設定された−１０〜０〜１０のパラメータ値を、７種類の表示態様により表示することができる。表示器における３個のＬＥＤ−Ａ，Ｂ，Ｃの点灯、消灯、点滅Ａおよび点滅Ｂの状態を組み合わせた表示態様により、数値設定操作子で設定された−１０〜０〜１０までのパラメータ値を容易に視認できるように表示する。【選択図】  図３
2017026702.tif 000002
【特許請求の範囲】
【請求項１】
操作子の操作に応じて設定された設定状態を表示する表示装置であって、
点灯状態と、消灯状態と、点滅状態のいずれかの状態とされる複数のセグメントからなる表示手段と、
操作子の操作に応じて設定された前記設定状態を、前記複数のセグメントにおける各セグメントの点灯状態、消灯状態、点滅状態の組み合わせで表示するよう前記表示手段の前記各セグメントを表示制御する表示制御手段とを備え、
前記点滅状態は、一定周期内に点灯時間と消灯時間とが設定されて構成されており、前記消灯時間は残像効果が生じる時間より長い時間に設定されていることを特徴とする表示装置。
【請求項２】
前記表示手段では、少なくとも下位表示のセグメントと上位表示のセグメントからなり、該下位表示のセグメントから該上位表示のセグメントまでの複数のセグメントがライン状に整列して配列されており、
前記表示制御手段は、前記設定状態の値が大きくなるに従い、前記下位表示のセグメントから前記上位表示のセグメントまで点灯状態を移行し、該移行する際に、前記点滅状態を経て点灯状態に移行するよう前記各セグメントを表示制御することを特徴とする請求項１に記載の表示装置。
【請求項３】
前記表示手段では、少なくとも下位表示のセグメントと上位表示のセグメントからなり、該下位表示のセグメントから該上位表示のセグメントまでの複数のセグメントがライン状に整列して配列されており、
前記表示制御手段は、前記設定状態の値が小さくなるに従い、前記上位表示のセグメントから前記下位表示のセグメントまで消灯状態を移行し、該移行する際に、前記点滅状態を経て消灯状態に移行するよう前記各セグメントを表示制御することを特徴とする請求項１に記載の表示装置。
【請求項４】
前記点滅状態には、前記点灯時間の長さに応じた複数の点滅状態があり、点灯状態に移行する場合には、前記複数の点滅状態における前記点灯時間が長くなっていくように、前記複数の点滅状態が順次切り替えられ、消灯状態に移行する場合には、前記複数の点滅状態における前記点灯時間が短くなっていくように、前記複数の点滅状態が順次切り替えられることを特徴とする請求項２または３に記載の表示装置。
【請求項５】
前記表示制御手段の表示制御は、初期値に中央値が設定されて、前記下位表示のセグメントと前記上位表示のセグメントとの間の中間表示のセグメントを点灯状態として、当該初期値を表示する第１モードと、初期値に最小値が設定されて、前記下位表示のセグメントを点灯状態として、当該初期値を表示する第２モードとを備えることを特徴とする請求項１ないし４のいずれかに記載の表示装置。
【発明の詳細な説明】
【技術分野】
【０００１】
この発明は、複数のセグメントを備え、セグメントの数を超える精度の表示をすることができる表示装置に関する。
【背景技術】
【０００２】
従来の電子機器においては、種々の値を表示する表示装置が設けられている。表示装置には、操作子の操作に応じて設定された設定状態やパラメータ値などが表示されることが多くされている。
例えば、特許文献１には、操作子ごとにチャンネルグループ（ＣＨＧ）への割り当て状況を表す従来のパラメータ表示部が開示されている。このパラメータ表示部の表示動作を図１０に示す。図１０に示すように、従来のパラメータ表示部は、複数の発光タイプの表示素子（ＬＥＤ）Ｌａ〜Ｌｃを用いて１つのパラメータ（チャンネルグループ設定パラメータ）の値を表示している。操作子（オンスイッチ）Ｂｔの設定操作により当該パラメータが設定されて装置本体が動作している間は、設定可能な全パラメータ範囲の表示素子Ｌａ〜Ｌｃが表示動作をしている。その際、設定された内容に該当する表示素子〔（２）＝Ｌａ，（３）＝Ｌｂ，（４）＝Ｌｃ〕は、第１の表示態様（明点灯）で表示し、また、設定された内容に該当しない他の表示素子〔（２）＝Ｌｂ・Ｌｃ，（３）＝Ｌａ・Ｌｃ，（４）＝Ｌａ・Ｌｂ〕は、第２の表示態様（暗点灯）で表示するように制御される。
【０００３】
ところで、従来の電子機器に備えられるパラメータ値を表示する表示装置では、一般的に、その電子機器に設定できるパラメータ値の分解能より低い分解能の表示値とされていることが多い。これは、電子機器を大型化しないために表示装置の大きさが限られたり、コストを下げるために分解能が低くなってしまうからである。このため、従来のパラメータ値表示装置では、表示値が中間値である場合は、表示器を視認するだけでは、十分に精度をもった確認ができなかった。
そこで、表示が移り変わる部分で、明暗をつけた点灯を行うパラメータ値表示装置が特許文献２に開示されている。
【先行技術文献】
【特許文献】
【０００４】
【特許文献１】特許第４１６５２４８号公報
【特許文献２】特許第４２３２５５７号公報
【発明の概要】
【発明が解決しようとする課題】
【０００５】
特許文献２に開示されている従来のパラメータ値表示装置におけるＬＥＤ群１４０の構成を図１１に示す。図１１に示すＬＥＤ群１４０は、順次隣接して配列された複数のＬＥＤ１４０−１，１４０−２，…，１４０−ｎと、これら複数のＬＥＤのうち隣接する２つのＬＥＤ、例えば、第１のＬＥＤ１４０−１および第２のＬＥＤ１４０−２を同時に点灯させる態様として明点灯、暗点灯、消灯の３つの態様を有し、所定のパラメータ値に応じて各ＬＥＤに対する点灯方法を決定している。例えば、各ＬＥＤ１４０−１，１４０−２，…，１４０−ｎの点灯状態においては、ボリューム操作子１４２が時計回りに回転操作されて、そのパラメータ値が最小の量から上昇してゆく場合は、「ＬＥＤ１４０−１のみの明点灯」→「ＬＥＤ１４０−１の明点灯およびＬＥＤ１４０−２の暗点灯」→「ＬＥＤ１４０−１，１４０−２の明点灯」→「ＬＥＤ１４０−１の暗点灯およびＬＥＤ１４０−２の明点灯」→「ＬＥＤ１４０−２のみの明点灯」、… … の順で点灯状態が変遷する。このような点灯状態とすることにより、ＬＥＤの数を「ｎ」とすれば「４ｎ−３」段階のパラメータの値を表現することができるようになる。
【０００６】
しかしながら、点灯状態の明暗により中間値を表示する場合においては、環境の明るさ等によっては点灯状態の明暗を視認することが困難になる場合があった。
そこで、本発明は、コストを上げたり表示装置を大きくすることなく表示値の分解能を向上して、セグメントの数を超える精度の表示をしても、容易に視認することができる表示装置を提案することを目的としている。
【課題を解決するための手段】
【０００７】
上記目的を達成するために、本発明の表示装置は、操作子の操作に応じて設定された設定状態を表示する表示装置であって、点灯状態と、消灯状態と、点滅状態のいずれかの状態とされる複数のセグメントからなる表示手段と、操作子の操作に応じて設定された前記設定状態を、前記複数のセグメントにおける各セグメントの点灯状態、消灯状態、点滅状態の組み合わせで表示するよう前記表示手段の前記各セグメントを表示制御する表示制御手段とを備え、前記点滅状態は、一定周期内に点灯時間と消灯時間とが設定されて構成されており、前記消灯時間は残像効果が生じる時間より長い時間に設定されていることを最も主要な特徴としている。
【発明の効果】
【０００８】
本発明の表示装置では、明暗の点灯状態に替えて点灯状態、消灯状態、点滅状態の組み合わせにより、操作子の操作に応じて設定された設定状態を表示するようにしたので、コストを上げず、表示装置を大型化せずに、表示値の分解能を上げることができ、ユーザーに精度を高めた情報を提供することができる。また、点灯状態、消灯状態、点滅状態は環境の明るさにほとんど影響を受けることなく視認可能であることから、ユーザーは、点滅の一周期（短時間）を確認することで、設定状態を直感的に把握することができる。
【図面の簡単な説明】
【０００９】
【図１】本発明の表示装置を適用した信号処理装置の構成を示す機能ブロック図である。
【図２】本発明の表示装置を適用した信号処理装置のパネルの構成を示す図である。
【図３】本発明の表示装置の第１実施例のモードＸの表示態様を示す図である。
【図４】本発明の表示装置の第１実施例のモードＹの表示態様を示す図である。
【図５】本発明の表示装置の第２実施例の表示態様を示す図である。
【図６】本発明の表示装置の第３実施例の表示態様を示す図である。
【図７】本発明の表示装置における表示器の表示制御の一例を示すタイミング図である。
【図８】本発明の表示装置を適用した信号処理装置で実行する信号制御処理のフローチャートである。
【図９】本発明の表示装置を適用した信号処理装置で実行する信号制御処理における表示制御処理のフローチャートである。
【図１０】従来のパラメータ表示部の表示動作を示す図である。
【図１１】従来のパラメータ値表示装置におけるＬＥＤ群の構成を示す図である。
【発明を実施するための形態】
【００１０】
以下、本発明を実施するための形態を図面に基づいて具体的に説明する。
まず、図１に、本発明の表示装置を適用した音信号の信号処理装置１の構成を示す。
図１に示す信号処理装置１は、ＣＰＵ１０、ＲＯＭ（Read Only Memory）１１、ＲＡＭ（Random Access Memory）１２、記憶装置１３、外部装置１４、インターフェース１５、操作子１６、表示部１７、信号処理部１８を備え、これらをＣＰＵバス１９により接続している。
【００１１】
このうちＣＰＵ１０は、信号処理装置１の動作を統括制御する制御手段であり、ＲＯＭ１１に記憶された所要のプログラムを実行することにより、操作子１６の操作に従ったパラメータの編集、表示部１７における本発明にかかる表示装置の表示制御処理や信号処理部１８への音信号の入出力、信号処理部１８の制御といった処理を行い、本発明の表示装置の表示制御手段として機能する。ＲＯＭ１１はＣＰＵ１０が実行する制御プログラムやプリセット等を記憶しており、書き換え可能なフラッシュメモリとしてもよい。ＲＡＭ１２はＣＰＵ１０が各種のデータを書き込み及び読み出しする揮発性記憶手段であり、ＣＰＵ１０のワークメモリとしても使用される。記憶装置１３は、ハードディスク等の大容量記憶装置であり、種々のプログラムや各種データを保存している。外部装置１４は、パーソナルコンピュータ（ＰＣ）、フィジカルコントローラや電子楽器、ディスプレイ、マウス、文字入力用のキーボード等のＵＩ（User Interface）デバイスとされ、インターフェース１５は、上記した種々の外部装置１４を接続し入出力を行うためのインターフェースである。外部装置１４との通信に用いる規格は、イーサネット（商標）、ＵＳＢ（Universal Serial Bus）等、任意のものを採用することができる。有線無線も問わない。
【００１２】
操作子１６は、信号処理装置１に対するユーザーの操作を受け付けるためのものであり、種々のキー、ボタン、ロータリーエンコーダ、スライダ、ボリューム等によって構成できる。また、表示部１７における液晶パネル（ＬＣＤ）がタッチパネルとされている場合は、タッチパネルを操作子１６として用いることもできる。表示部１７は、ＣＰＵ１０の制御に従って種々の情報を表示する表示手段であり、例えばＬＣＤによって構成できる。また、表示部１７には、本発明の表示装置の表示手段、具体的には後述する発光ダイオード（ＬＥＤ）からなる表示器３４が含まれている。信号処理部１８は、処理すべき音信号の入力を受け付け、また処理後の音信号を出力するための図示しないインタフェースを備え、入力された音信号に対して低音、中音、高音のトーンコントロール、音の歪の調整、リバーブなどの音響効果の付与や音量の調整等の信号処理を行うことができる。信号処理部１８は、１つ以上のＤＳＰから構成することができる。
【００１３】
次に、図２に、信号処理装置１のパネル３０の構成を示す。図２には、パラメータ値を調整する操作部と、そのパラメータ値を表示する本発明の表示装置を中心に示している。
パネル３０上には、図２に示すように、表示器３４の表示モードをＸモード，Ｙモードのいずれかから選択するモード選択操作子３１、設定対象とするパラメータのパラメータ値を設定する数値設定操作子３２、パラメータ値を表示する７セグメントの７セグ表示素子３３、本発明の表示装置を構成するＬＥＤ−ＡとＬＥＤ−ＢとＬＥＤ−Ｃとの３つの発光ダイオード（ＬＥＤ）からなる表示器３４が設けられている。これらの操作子および表示手段は、図１に示した操作子１６及び表示部１７の一部からなる。また、表示器３４においては、ＬＥＤ−Ａが下位表示のＬＥＤセグメント、ＬＥＤ−Ｂが中間表示のＬＥＤセグメント、ＬＥＤ−Ｃが上位表示のＬＥＤセグメントとされ、数値設定操作子３２は、ロータリーエンコーダとされて回転させた時に、回転した位置を検出できる。
【００１４】
本発明の第１実施例の表示装置を構成する表示器３４では、図２に示すように３個のＬＥＤ−Ａ，Ｂ，Ｃを備え、モード選択操作子３１で選択したモードＸの場合は、数値設定操作子３２を回転操作することにより設定された−１０〜０〜１０のパラメータ値を、７種類の表示態様により表示することができる。また、モードＹを選択した場合は、数値設定操作子３２を回転操作することにより設定された０〜２０のパラメータ値を、７種類の表示態様により表示することができる。
モード選択操作子３１でモードＸを選択した場合の表示器３４の表示態様を図３に示す。モードＸは、初期値が中央値に設定されると共に、この初期値を中間表示のＬＥＤ−Ｂだけを点灯して表示するモードであり、０を中央値として０から負方向および０から正方向にパラメータ値を調整する場合、例えば低音、中音、高音のトーンコントロールを調整する場合等に選択される。モードＸにおけるパラメータの初期値は「０」、最小値は「−１０」、最大値は「１０」とされて、数値設定操作子３２を操作することにより−１０〜０〜１０の間のパラメータ値に設定できる。モードＸの場合は、数値設定操作子３２の中央位置である位置４においてパラメータ値が「０」に設定され、数値設定操作子３２を位置４から左回転していくと位置４→位置３→位置２→位置１となる。また、数値設定操作子３２を位置４から右回転していくと位置４→位置５→位置６→位置７となる。設定されるパラメータ値は、位置１では「−１０」、位置２では「−６」、位置３では「−３」、位置４では「０」、位置５では「３」、位置６では「６」、位置７では「１０」となり、パラメータ値の単位はｄＢとされている。
【００１５】
数値設定操作子３２を位置４から回転した時の、位置４から位置４，３間の中央未満、および、位置４から位置４，５間の中央未満までの位置における数値設定操作子３２で設定されるパラメータ値Ｐの範囲（−１．５＜Ｐ＜１．５）では、ＬＥＤ−Ａ，Ｃが消灯、ＬＥＤ−Ｂが点灯で表示される。
数値設定操作子３２を位置４，３間から左回転した時の、位置４，３間の中央から位置３，２間の中央未満までにおける数値設定操作子３２で設定されるパラメータ値Ｐの範囲（−１．５≧Ｐ＞−４．５）では、ＬＥＤ−Ａが点滅Ａ、ＬＥＤ−Ｂが点灯、ＬＥＤ−Ｃが消灯で表示され、位置３，２間の中央から位置２，１間の中央未満までにおける数値設定操作子３２で設定されるパラメータ値Ｐの範囲（−４．５≧Ｐ＞−８）では、ＬＥＤ−Ａが点滅Ｂ、ＬＥＤ−Ｂが点灯、ＬＥＤ−Ｃが消灯で表示され、位置２，１間の中央から位置１までにおける数値設定操作子３２で設定されるパラメータ値Ｐの範囲（−８≧Ｐ≧−１０）では、ＬＥＤ−Ａが点灯、ＬＥＤ−Ｂ，Ｃが消灯で表示される。表示器３４における点滅Ａ，Ｂの点滅の周期は一定とされており、その一定周期内において点灯時間と消灯時間とが設定されている。その一定周期における点灯時間が短い場合が点滅Ａとされ、点灯時間が長い場合が点滅Ｂとされることから、点滅Ａと点滅Ｂとの点滅状態を確実に見分けることができる。
【００１６】
数値設定操作子３２を位置４，５間から右回転した時の、位置４，５間の中央から位置５，６間の中央未満までにおける数値設定操作子３２で設定されるパラメータ値Ｐの範囲（１．５≦Ｐ＜４．５）では、ＬＥＤ−Ａが消灯、ＬＥＤ−Ｂが点灯、ＬＥＤ−Ｃが点滅Ａで表示され、位置５，６間の中央から位置６，７間の中央未満までにおける数値設定操作子３２で設定されるパラメータ値Ｐの範囲（４．５≦Ｐ＜８）では、ＬＥＤ−Ａが消灯、ＬＥＤ−Ｂが点灯、ＬＥＤ−Ｃが点滅Ｂで表示され、位置６，７の中央から位置７までにおける数値設定操作子３２で設定されるパラメータ値Ｐの範囲（８≦Ｐ≦１０）では、ＬＥＤ−Ａ，Ｂが消灯、ＬＥＤ−Ｃが点灯で表示される。
このように、モードＸが選択された場合では、数値設定操作子３２で設定されるパラメータ値が「−１０」から「０」を介して「１０」に向かって大きくなるに従って、下位表示のＬＥＤ−Ａから中間表示のＬＥＤ−Ｂを介して上位表示のＬＥＤ−Ｃに点灯状態が移行すると共に、上位表示のＬＥＤ−Ｃから下位表示のＬＥＤ−Ａに消灯状態が移行していく。下位表示のＬＥＤ−Ａが点灯状態から消灯状態に移行する際においては、点灯時間が次第に短くなるよう点滅Ｂ、次いで点滅Ａを介して消灯状態に移行していく。また、上位表示のＬＥＤ−Ｃが消灯状態から点灯状態に移行する際においては、次第に点灯時間が長くなるよう点滅Ａ、次いで点滅Ｂを介して点灯状態に移行していく。
【００１７】
本発明の第１実施例の表示装置では、上記したように表示器３４における点滅Ａと点滅Ｂとを確実に見分けることができることから、ＬＥＤ数を超える表示値の分解能としても、ＬＥＤ数を超える精度の表示を容易に視認することができる。すなわち、モードＸが選択された場合、表示器３４における３個のＬＥＤの点灯、消灯、点滅Ａおよび点滅Ｂの状態を組み合わせた図３に示す表示態様により、数値設定操作子３２で設定された−１０〜０〜１０までのパラメータ値を容易に視認できるように表示することができる。
【００１８】
次に、モード選択操作子３１でモードＹを選択した場合の表示器３４の表示態様を図４に示す。
モードＹは、初期値が最小値に設定されると共に、この初期値を左端の下位表示のＬＥＤ−Ａだけを点灯して表示するモードであり、０から正方向にパラメータ値を調整する場合、例えば音の歪の調整、リバーブなどの音響効果の付与や音量を調整する場合等に選択される。モードＹのパラメータの初期値である最小値は「０」、最大値は「２０」とされて、数値設定操作子３２を操作することにより０〜２０の間のパラメータ値に設定できる。モードＹの場合は、数値設定操作子３２の最も左回転した位置である位置１においてパラメータ値が「０」に設定され、数値設定操作子３２を位置１から右回転していくと位置１→位置２→位置３→位置４→位置５→位置６→位置７となる。設定されるパラメータ値は、位置１では「０」、位置２では「１」、位置３では「３」、位置４では「６」、位置５では「１０」、位置６では「１５」、位置７では「２０」となり、パラメータ値の単位はｄＢとされている。
【００１９】
数値設定操作子３２を位置１から右回転した時の、位置１から位置１，２間の中央未満までにおける数値設定操作子３２で設定されるパラメータ値Ｐの範囲（０≦Ｐ＜０．５）では、ＬＥＤ−Ａが点灯、ＬＥＤ−Ｂ，Ｃが消灯で表示され、位置１，２間の中央から位置２，３間の中央未満までにおける数値設定操作子３２で設定されるパラメータ値Ｐの範囲（０．５≦Ｐ＜２）では、ＬＥＤ−Ａが点灯、ＬＥＤ−Ｂが点滅Ａ、ＬＥＤ−Ｃが消灯で表示され、位置２，３間の中央から位置３，４間の中央未満までにおける数値設定操作子３２で設定されるパラメータ値Ｐの範囲（２≦Ｐ＜４）では、ＬＥＤ−Ａが点灯、ＬＥＤ−Ｂが点滅Ｂ、ＬＥＤ−Ｃが消灯で表示され、位置３，４間の中央から位置４，５間の中央未満までにおける数値設定操作子３２で設定されるパラメータ値Ｐの範囲（４≦Ｐ＜８）では、ＬＥＤ−Ａ，Ｂが点灯、ＬＥＤ−Ｃが消灯で表示される。また、位置４，５間の中央から位置５，６間の中央未満までにおける数値設定操作子３２で設定されるパラメータ値Ｐの範囲（８≦Ｐ＜１２）では、ＬＥＤ−Ａ，Ｂが点灯、ＬＥＤ−Ｃが点滅Ａで表示され、位置５，６間の中央から位置６，７間の中央未満までにおける数値設定操作子３２で設定されるパラメータ値Ｐの範囲（１２≦Ｐ＜１７）では、ＬＥＤ−Ａ，Ｂが点灯、ＬＥＤ−Ｃが点滅Ｂで表示され、位置６，７間の中央から位置７までにおける数値設定操作子３２のパラメータ値Ｐの範囲（１７≦Ｐ≦２０）では、ＬＥＤ−Ａ，Ｂ，Ｃが点灯で表示される。
【００２０】
このように、モードＹが選択された場合では、数値設定操作子３２で設定されるパラメータ値が「０」から「２０」に向かって大きくなるに従って、下位表示のＬＥＤ−Ａから中間表示のＬＥＤ−Ｂ、次いで上位表示のＬＥＤ−Ｃが消灯状態から点灯状態に移行していく。消灯状態から点灯状態に移行する際においては、次第に点灯時間が長くなるよう点滅Ａ、次いで点滅Ｂを介して点灯状態に移行していく。
本発明の第１実施例の表示装置では、表示器３４における点滅Ａと点滅Ｂとを確実に見分けることができることから、ＬＥＤ数を超える表示値の分解能としても、ＬＥＤ数を超える精度の表示を容易に視認することができる。そして、モードＹが選択された場合は、表示器３４における３個のＬＥＤの点灯、消灯、点滅Ａおよび点滅Ｂの状態を組み合わせた図４に示す表示態様により、数値設定操作子３２で設定された０〜２０までのパラメータ値を容易に視認できるように表示することができる。
【００２１】
次に、本発明の第２実施例の表示装置を説明する。第２実施例の表示装置における表示器３４では、図示していないが、２個のＬＥＤしか備えていないにもかかわらず、１１種類の表示態様でパラメータ値を表示することができる。第２実施例の表示装置が備える２個のＬＥＤをＬＥＤ−Ａ，ＬＥＤ−Ｂとした場合の表示器３４の表示態様を図５に示す。この場合、ＬＥＤ−Ａが下位表示のＬＥＤセグメント、ＬＥＤ−Ｂが上位表示のＬＥＤセグメントとされる。
第２実施例の表示装置では、初期値が最小値に設定されると共に、この初期値を左端の下位表示のＬＥＤ−Ａだけを点灯して表示しており、０から正方向にパラメータ値を調整する場合に好適とされ、パラメータの初期値である最小値は「０」、最大値は「１０」とされて、数値設定操作子３２を回転操作することにより０〜１０の間のパラメータ値に設定できる。数値設定操作子３２の最も左回転した位置である位置０においてパラメータ値が「０」に設定され、数値設定操作子３２を位置０から右回転していくと位置０→位置１→位置２→位置３→位置４→位置５→位置６→位置７→位置８→位置９→位置１０となる。設定されるパラメータ値は、位置０では「０」、位置１では「１」、位置２では「２」、位置３では「３」、位置４では「４」、位置５では「５」、位置６では「６」、位置７では「７」、位置８では「８」、位置９では「９」、位置１０では「１０」となり、パラメータ値の単位はｄＢとされている。
【００２２】
数値設定操作子３２を位置０から右回転した時の、位置０から位置０，１間の中央未満までにおける数値設定操作子３２で設定されるパラメータ値Ｐの範囲（０≦Ｐ＜０．５）では、ＬＥＤ−Ａが点灯、ＬＥＤ−Ｂが消灯で表示され、位置０，１間の中央から位置１，２間の中央未満までにおける数値設定操作子３２で設定されるパラメータ値Ｐの範囲（０．５≦Ｐ＜１．５）では、ＬＥＤ−Ａが点灯、ＬＥＤ−Ｂが点滅４で表示され、位置１，２間の中央から位置２，３間の中央未満までにおける数値設定操作子３２で設定されるパラメータ値Ｐの範囲（１．５≦Ｐ＜２．５）では、ＬＥＤ−Ａが点灯、ＬＥＤ−Ｂが点滅３で表示され、位置２，３間の中央から位置３，４間の中央未満までにおける数値設定操作子３２で設定されるパラメータ値Ｐの範囲（２．５≦Ｐ＜３．５）では、ＬＥＤ−Ａが点灯、ＬＥＤ−Ｂが点滅２で表示され、位置３，４間の中央から位置４，５間の中央未満までにおける数値設定操作子３２で設定されるパラメータ値Ｐの範囲（３．５≦Ｐ＜４．５）では、ＬＥＤ−Ａが点灯、ＬＥＤ−Ｂが点滅１で表示される。
【００２３】
さらに、数値設定操作子３２を右回転した時の、位置４，５間の中央から位置５，６間の中央未満までにおける数値設定操作子３２で設定されるパラメータ値Ｐの範囲（４．５≦Ｐ＜５．５）では、ＬＥＤ−Ａ，Ｂが点灯で表示され、位置５，６間の中央から位置６，７間の中央未満までにおける数値設定操作子３２で設定されるパラメータ値Ｐの範囲（５．５≦Ｐ＜６．５）では、ＬＥＤ−Ａが点滅１、ＬＥＤ−Ｂが点灯で表示され、位置６，７間の中央から位置７，８間の中央未満までにおける数値設定操作子３２で設定されるパラメータ値Ｐの範囲（６．５≦Ｐ＜７．５）では、ＬＥＤ−Ａが点滅２、ＬＥＤ−Ｂが点灯で表示され、位置７，８間の中央から位置８，９間の中央未満までにおける数値設定操作子３２で設定されるパラメータ値Ｐの範囲（７．５≦Ｐ＜８．５）では、ＬＥＤ−Ａが点滅３、ＬＥＤ−Ｂが点灯で表示され、位置８，９間の中央から位置９，１０間の中央未満までにおける数値設定操作子３２で設定されるパラメータ値Ｐの範囲（８．５≦Ｐ＜９．５）では、ＬＥＤ−Ａが点滅４、ＬＥＤ−Ｂが点灯で表示され、位置９，１０間の中央から位置１０までにおける数値設定操作子３２のパラメータ値Ｐの範囲（９．５≦Ｐ≦１０）では、ＬＥＤ−Ａが消灯、ＬＥＤ−Ｂが点灯で表示される。
【００２４】
本発明の第２実施例における表示装置では、表示器３４における２個のＬＥＤの点灯、消灯、点滅１〜点滅４の状態の組み合わせにより、数値設定操作子３２で設定された０〜１０までのパラメータ値を容易に視認できるように表示することができる。表示器３４における点滅１〜４の点滅の周期は一定とされており、その一定周期内において点灯時間と消灯時間とが設定されている。点滅１ではその一定周期における点灯時間が最も長くされており、点滅２ではその一定周期における点灯時間が点滅１の点灯時間より短くされ、点滅３ではその一定周期における点灯時間が点滅２の点灯時間より短くされ、点滅４ではその一定周期における点灯時間が点滅３の点灯時間より短くされている。
本発明の第２実施例における表示装置では、数値設定操作子３２で設定されるパラメータ値が「０」から「１０」に向かって大きくなるに従って、下位表示のＬＥＤ−Ａが点灯状態から消灯状態に移行していくと共に、上位表示のＬＥＤ−Ｂが消灯状態から点灯状態に移行していく。点灯状態から消灯状態に移行する際においては、点灯時間が次第に短くなるよう点滅１、点滅２、点滅３、次いで点滅４を介して消灯状態に移行していく。また、消灯状態から点灯状態に移行する際においては、点灯時間が次第に長くなるよう点滅４、点滅３、点滅２、次いで点滅１を介して点灯状態に移行していく。
【００２５】
表示器３４におけるＬＥＤの点灯、消灯、点滅１〜点滅４の表示制御の一例を示すタイミング図を図７（ａ）〜（ｆ）に示す。
図７（ａ）〜（ｆ）に示すタイミング図において、横軸は時間とされ表示器３４におけるＬＥＤの表示制御を行う一定の周期ｔ０は、例えば、１ｓｅｃあるいは０．５ｓｅｃとされている。周期ｔ０内の全時間において点灯が継続される図７（ａ）に示す場合が点灯状態であり、周期ｔ０内において点灯時間がｔ１、消灯時間がｔ２とされる図７（ｂ）に示す場合が点滅１状態である。点滅１状態の点灯のデューティー比は約８０％とされる。周期ｔ０内において点灯時間がｔ３、消灯時間がｔ４とされる図７（ｃ）に示す場合が点滅２状態であり、点滅２状態の点灯のデューティー比は約６０％とされる。
【００２６】
周期ｔ０内において点灯時間がｔ４、消灯時間がｔ３とされる図７（ｄ）に示す場合が点滅３状態であり、点滅３状態の点灯のデューティー比は約４０％とされる。周期ｔ０内において点灯時間がｔ２、消灯時間がｔ１とされる図７（ｅ）に示す場合が点滅４状態であり、デューティー比は約２０％とされる。これにより、点滅１〜４の点滅状態を確実に見分けることができる。また、周期ｔ０内の全時間において消灯される図７（ｆ）に示す場合が消灯状態である。
周期ｔ０が０．５ｓｅｃとされた場合は、最も短い消灯時間はｔ２となり約０．１ｓｅｃとなる。この場合、人の目の時間分解能は約５０ｍｓｅｃ〜１００ｍｓｅｃと云われていることから、図７（ａ）に示す点滅１状態で表示器３４におけるＬＥＤの表示制御を行った時に、残像効果により当該ＬＥＤが連続点灯しているようには視認されず、当該ＬＥＤは０．５ｓｅｃの周期で点滅を繰り返す点滅状態として視認されることになる。図７（ｂ）〜（ｄ）に示す点滅２〜点滅４状態においては、消灯時間が約０．２ｓｅｃ〜約０．４ｓｅｃとなって点滅１より消灯時間が長くなることから、当然のことではあるが、残像効果により当該ＬＥＤが連続点灯しているようには視認されず、当該ＬＥＤは０．５ｓｅｃの周期で点滅を繰り返す点滅状態として視認されることになる。そして、点滅していると視認される場合に、点滅１〜点滅４では点灯時間のデューティー比が約２０％〜約８０％と段階的に変化することから、点滅１〜点滅４の何れで点滅しているかを容易に視認することができる。これにより、図５に示す表示態様により、数値設定操作子３２で設定された０〜１０までのパラメータ値を容易に視認できるように表示することができる。なお、周期ｔ０を１ｓｅｃとした場合には、点滅１〜点滅４における点灯状態のデューティー比は上記の通りとされ、最も短い消灯時間は約０．２ｓｅｃとされることから、この場合においても、点滅１〜点滅４の何れで点滅しているかを容易に視認することができる。
また、点滅１〜点滅４における点灯状態のデューティー比は上記に限ることはないが、周期ｔ０を０．５ｓｅｃとした場合においても消灯時間は、残像効果により連続点灯しているように視認されない時間、例えば約０．１ｓｅｃ以上とするのが好適である。
【００２７】
次に、本発明の第３実施例の表示装置を説明する。第３実施例の表示装置における表示器３４では、図２に示す表示器３４のように３個のＬＥＤを備えており、２１種類の表示態様でパラメータ値を表示することができる。この場合、ＬＥＤ−Ａが下位表示のＬＥＤセグメント、ＬＥＤ−Ｂが中間表示のＬＥＤセグメント、ＬＥＤ−Ｃが上位表示のＬＥＤセグメントとされる。第３実施例の表示器３４の表示態様を図６に示す。
第３実施例の表示装置は、初期値が中央値に設定されると共に、この初期値を中間表示のＬＥＤ−Ｂだけを点灯して表示しており、０を中央値として０から負方向および０から正方向にパラメータ値を調整する場合に好適とされ、パラメータの初期値は「０」、最小値は「−１０」、最大値は「１０」とされて、数値設定操作子３２を回転操作することにより、−１０〜０〜１０の間のパラメータ値に設定できる。第３実施例の表示装置では、数値設定操作子３２の中央位置である位置１１においてパラメータ値が「０」に設定され、数値設定操作子３２を位置１１から左回転していくと位置１１→位置１０→位置９→・・・・→位置２→位置１となる。また、数値設定操作子３２を位置１１から右回転していくと位置１１→位置１２→位置１３→・・・・→位置２０→位置２１となる。設定されるパラメータ値は、位置１では「−１０」、位置２では「−９」、位置３では「−８」、位置４では「−７」、位置５では「−６」、位置６では「−５」、位置７では「−４」、位置８では「−３」、位置９では「−２」、位置１０では「−１」となり、位置１１では「０」となる。また、位置１２では「１」、位置１３では「２」、位置１４では「３」、位置１５では「４」、位置１６では「５」、位置１７では「６」、位置１８では「７」、位置１９では「８」、位置２０では「９」、位置２１では「１０」となり、パラメータ値の単位はｄＢとされている。
【００２８】
第３実施例の表示装置において、数値設定操作子３２を中央位置から回転した時の、位置１１から位置１１，１０間の中央未満、および、位置１１から位置１１，１２間の中央未満までにおける数値設定操作子３２で設定されるパラメータ値Ｐの範囲（−０．５＜Ｐ＜０．５）では、ＬＥＤ−Ａ，Ｃが消灯、ＬＥＤ−Ｂが点灯で表示される。
数値設定操作子３２を左回転した時の、位置１１，１０間の中央から位置１０，９間の中央未満までにおける数値設定操作子３２で設定されるパラメータ値Ｐの範囲（−０．５≧Ｐ＞−１．５）では、ＬＥＤ−Ａが点滅４、ＬＥＤ−Ｂが点灯、ＬＥＤ−Ｃが消灯で表示され、位置１０，９間の中央から位置９，８間の中央未満までにおける数値設定操作子３２で設定されるパラメータ値Ｐの範囲（−１．５≧Ｐ＞−２．５）では、ＬＥＤ−Ａが点滅３、ＬＥＤ−Ｂが点灯、ＬＥＤ−Ｃが消灯で表示され、位置９，８間の中央から位置８，７間の中央未満までにおける数値設定操作子３２で設定されるパラメータ値Ｐの範囲（−２．５≧Ｐ＞−３．５）では、ＬＥＤ−Ａが点滅２、ＬＥＤ−Ｂが点灯、ＬＥＤ−Ｃが消灯で表示され、位置８，７間の中央から位置７，６間の中央未満までにおける数値設定操作子３２で設定されるパラメータ値Ｐの範囲（−３．５≧Ｐ＞−４．５）では、ＬＥＤ−Ａが点滅１、ＬＥＤ−Ｂが点灯、ＬＥＤ−Ｃが消灯で表示される。
【００２９】
さらに、数値設定操作子３２を左回転した時の、位置７，６間の中央から位置６，５間の中央未満付近までにおける数値設定操作子３２で設定されるパラメータ値Ｐの範囲（−４．５≧Ｐ＞−５．５）では、ＬＥＤ−Ａ，Ｂが点灯、ＬＥＤ−Ｃが消灯で表示され、位置６，５間の中央から位置５，４間の中央未満までにおける数値設定操作子３２で設定されるパラメータ値Ｐの範囲（−５．５≧Ｐ＞−６．５）では、ＬＥＤ−Ａが点灯、ＬＥＤ−Ｂが点滅１、ＬＥＤ−Ｃが消灯で表示され、位置５，４間の中央から位置４，３間の中央未満までにおける数値設定操作子３２のパラメータ値Ｐの範囲（−６．５≧Ｐ＞−７．５）では、ＬＥＤ−Ａが点灯、ＬＥＤ−Ｂが点滅２、ＬＥＤ−Ｃが消灯で表示され、位置４，３間の中央から位置３，２間の中央未満までにおける数値設定操作子３２で設定されるパラメータ値Ｐの範囲（−７．５≧Ｐ＞−８．５）では、ＬＥＤ−Ａが点灯、ＬＥＤ−Ｂが点滅３、ＬＥＤ−Ｃが消灯で表示され、位置３，２間の中央から位置２，１間の中央未満までにおける数値設定操作子３２で設定されるパラメータ値Ｐの範囲（−８．５≧Ｐ＞−９．５）では、ＬＥＤ−Ａが点灯、ＬＥＤ−Ｂが点滅４、ＬＥＤ−Ｃが消灯で表示され、位置２，１間の中央から位置１までにおける数値設定操作子３２のパラメータ値Ｐの範囲（−９．５≧Ｐ≧−１０）では、ＬＥＤ−Ａが点灯、ＬＥＤ−Ｂ，Ｃが消灯で表示される。
【００３０】
数値設定操作子３２を右回転した時の、位置１１，１２間の中央から位置１２，１３間の中央未満までにおける数値設定操作子３２で設定されるパラメータ値Ｐの範囲（０．５≦Ｐ＜１．５）では、ＬＥＤ−Ａが消灯、ＬＥＤ−Ｂが点灯、ＬＥＤ−Ｃが点滅４で表示され、位置１２，１３間の中央から位置１３，１４間の中央未満までにおける数値設定操作子３２で設定されるパラメータ値Ｐの範囲（１．５≦Ｐ＜２．５）では、ＬＥＤ−Ａが消灯、ＬＥＤ−Ｂが点灯、ＬＥＤ−Ｃが点滅３で表示され、位置１３，１４間の中央から位置１４，１５間の中央未満までにおける数値設定操作子３２のパラメータ値Ｐの範囲（２．５≦Ｐ＜３．５）では、ＬＥＤ−Ａが消灯、ＬＥＤ−Ｂが点灯、ＬＥＤ−Ｃが点滅２で表示され、位置１４，１５間の中央から位置１５，１６間の中央未満までにおける数値設定操作子３２で設定されるパラメータ値Ｐの範囲（３．５≦Ｐ＜４．５）では、ＬＥＤ−Ａが消灯、ＬＥＤ−Ｂが点灯、ＬＥＤ−Ｃが点滅１で表示される。
【００３１】
さらに、数値設定操作子３２を右回転した時の、位置１５，１６間の中央から位置１６，１７間の中央未満までにおける数値設定操作子３２で設定されるパラメータ値Ｐの範囲（４．５≦Ｐ＜５．５）では、ＬＥＤ−Ａが消灯、ＬＥＤ−Ｂ，Ｃが点灯で表示され、位置１６，１７間の中央から位置１７，１８間の中央未満までにおける数値設定操作子３２で設定されるパラメータ値Ｐの範囲（５．５≦Ｐ＜６．５）では、ＬＥＤ−Ａが消灯、ＬＥＤ−Ｂが点滅１、ＬＥＤ−Ｃが点灯で表示され、位置１７，１８間の中央から位置１８，１９の中央未満までにおける数値設定操作子３２で設定されるパラメータ値Ｐの範囲（６．５≦Ｐ＜７．５）では、ＬＥＤ−Ａが消灯、ＬＥＤ−Ｂが点滅２、ＬＥＤ−Ｃが点灯で表示され、位置１８，１９間の中央から位置１９，２０の中央未満までにおける数値設定操作子３２で設定されるパラメータ値Ｐの範囲（７．５≦Ｐ＜８．５）では、ＬＥＤ−Ａが消灯、ＬＥＤ−Ｂが点滅３、ＬＥＤ−Ｃが点灯で表示され、位置１９，２０間の中央から位置２０，２１間の中央未満までにおける数値設定操作子３２で設定されるパラメータ値Ｐの範囲（８．５≦Ｐ＜９．５）では、ＬＥＤ−Ａが消灯、ＬＥＤ−Ｂが点滅４、ＬＥＤ−Ｃが点灯で表示され、位置２０，２１間の中央から位置２１までにおける数値設定操作子３２のパラメータ値Ｐの範囲（９．５≦Ｐ≦１０）では、ＬＥＤ−Ａ，Ｂが消灯、ＬＥＤ−Ｃが点灯で表示される。
【００３２】
このように、本発明の第３実施例における表示装置では、数値設定操作子３２で設定されるパラメータ値が「−１０」から「０」を介して「１０」に向かって大きくなるに従って、下位表示のＬＥＤ−Ａから中間表示のＬＥＤ−Ｂを介して上位表示のＬＥＤ−Ｃに点灯状態が移行すると共に、上位表示のＬＥＤ−Ｃから下位表示のＬＥＤ−Ａに消灯状態が移行していく。下位表示のＬＥＤ−Ａおよび中間表示のＬＥＤ−Ｂが点灯状態から消灯状態に移行する際においては、点灯時間が次第に短くなるよう点滅１、点滅２、点滅３、次いで点滅４を介して消灯状態に移行していく。また、中間表示のＬＥＤ−Ｂおよび上位表示のＬＥＤ−Ｃが消灯状態から点灯状態に移行する際においては、点灯時間が次第に長くなるよう点滅４、点滅３、点滅２、次いで点滅１を介して点灯状態に移行していく。
本発明の第３実施例における表示装置では、表示器３４における３個のＬＥＤ−Ａ，Ｂ，Ｃが図７（ａ）〜（ｆ）に示す点灯、消灯、点滅１〜点滅４の状態の組み合わせにより、数値設定操作子３２で設定されたパラメータ値を表示している。この場合、点滅１〜点滅４は図７に示す通りであり、本発明の第３実施例における表示装置では、周期ｔ０が０．５ｓｅｃあるいは１ｓｅｃとされた場合に、点滅状態における最も短い消灯時間は約０．１ｓｅｃとなり、残像効果により点滅状態が連続点灯しているように視認されないようになる。これにより、点滅１〜点滅４の何れで点滅しているかを容易に視認することができ、図６に示す表示態様により数値設定操作子３２で設定された−１０〜０〜１０までのパラメータ値を容易に視認できるように表示することができる。
【００３３】
本発明の表示装置を適用した信号処理装置１において実行される信号制御処理のフローチャートを図８に示す。
本発明の表示装置を適用した信号処理装置１の電源等が投入されて、動作状態となるとＣＰＵ１０は、図８に示す信号制御処理をスタートし、ステップＳ１０において信号処理装置１のテンポラリメモリやレジスタをクリアして初期値を設定する等の信号処理装置１の初期化を行う。この場合、初期値に替えて前回設定した設定値を設定するようにしてもよい。次いで、ＣＰＵ１０はステップＳ１１にて表示制御処理を行う。表示制御処理により、数値設定操作子３２を回転操作した際に、図３から図６を参照して説明した設定されたパラメータ値の表示が実現される。この表示制御処理が終了すると、ステップＳ１２にてＣＰＵ１０は操作子の操作に応じた処理、例えば、操作子により設定されたパラメータ値に基づく音信号に対する信号処理を行う。この場合、信号処理された音信号は信号処理装置１から出力される。ステップＳ１１の表示制御処理およびステップＳ１２の信号処理は、信号処理装置１が動作中は、所定期間ごとに繰り返し実行される。
【００３４】
図８に示す信号制御処理における表示制御処理のフローチャートを図９に示す。この表示制御処理は、本発明の表示装置が図３，図４で説明した第１実施例の表示態様とされた場合の表示制御処理とされる。
信号制御処理においてステップＳ１１の表示制御処理がスタートされると、ステップＳ２０にてパネル３０に設けられている設定操作子の入力があるか否か（ユーザーにより操作されたか否か）をＣＰＵ１０が判断し、入力がない場合（Ｓ２０のｎｏ）は、表示制御処理を終了して信号制御処理のステップＳ１２にリターンする。また、入力がある場合（Ｓ２０のｙｅｓ）はステップＳ２１に分岐してモード選択操作子３１の切換操作か否かをＣＰＵ１０が判断する。ＣＰＵ１０は、モード選択操作子３１の切換操作があった場合（Ｓ２１のｙｅｓ）は、ステップＳ２２の処理を行い、モード選択操作子３１によりモードＸに切り替えられた場合（Ｓ２２のｙｅｓ）は、モードＸにモードをセットする（Ｓ２３）。また、モード選択操作子３１によりモードＹに切り替えられた場合（Ｓ２２のｎｏ）は、モードＹにモードをセットする（Ｓ２４）。
【００３５】
また、モード選択操作子３１の切換操作がない場合（Ｓ２１のｙｅｓ）は、ステップＳ２５に分岐して数値設定操作子３２の回転操作があるか否かをＣＰＵ１０は判断する。ここで、数値設定操作子３２の回転操作がある場合（Ｓ２５のｙｅｓ）は、数値設定操作子３２の回転位置を検出する（Ｓ２６）。次いで、ＣＰＵ１０は、ステップＳ２６で検出された回転位置と、ステップＳ２３，Ｓ２４で設定されたモードに応じて、表示器３４のＬＥＤ−Ａ，Ｂ，Ｃの点等、点滅、消灯を制御する。これにより、モードＸにセットされている場合は、数値設定操作子３２を回転操作した位置に対応するパラメータ値が、図３に示す表示態様で表示されるようになる。この場合は、初期値である０を中央値として０から負方向および０から正方向にパラメータ値を調整することができる。また、モードＹにセットされている場合は、数値設定操作子３２を回転操作した位置に対応するパラメータ値が、図４に示す表示態様で表示されるようになる。この場合は、初期値である０から正方向にパラメータ値を調整することができる。さらに、数値設定操作子３２の回転操作がない場合（Ｓ２５のｎｏ）は、ステップＳ２８に分岐して、ＣＰＵ１０は、その他の設定操作に対応して設定状態を変更する。
ステップＳ２３，Ｓ２４，Ｓ２７，Ｓ２８のいずれかの処理が終了すると、表示制御処理を終了して信号制御処理のステップＳ１２にリターンする。
【産業上の利用可能性】
【００３６】
本発明の表示装置においては、表示器の例えばＬＥＤとされるセグメントを２つまたは３つ設けるようにしたが、４つ以上のセグメントを備える表示器としてもよい。この場合においても、操作子で設定された設定状態に応じて、各セグメントを点灯状態、消灯状態、複数の点滅状態の組み合わせで表示制御する。セグメントはＬＥＤに限らずＬＣＤとしてもよい。この場合、複数のセグメントを直線状、円弧状等のライン状に配置して、端のセグメントから点灯状態となるよう表示制御する。また、本発明の表示装置の第１ないし第３実施例における表示態様では、数値設定操作子の位置間の中間においてパラメータ値が隣接するパラメータ値に遷移するようにしたが、これに限るものではなく数値設定操作子の位置間の任意の位置や、位置の直前において隣接するパラメータ値に遷移するようにしても良い。
本発明の表示装置を適用した信号処理装置は、電子楽器や音響装置などの表示手段を有する電子機器とすることができる。この場合、表示手段には検出手段で検出された信号（電力、音量、信号レベルなど）の値や、ユーザーが操作子を操作することで設定した機器の設定状態（表示状態）が表示される。
本発明の表示装置において、点滅状態の一定周期は１ｓｅｃあるいは０．５ｓｅｃとしたがこれに限ることはなく、任意の一定周期とすることができる。この場合、点滅状態における消灯時間は、残像効果が生じる時間より長い時間（例えば、約０．１ｓｅｃ以上）に設定する。また、一定周期内において複数回の点灯を行う点滅状態として、その点灯の回数により複数の点滅状態を設定するようにしてもよい。また、表示装置を構成する表示器の複数のセグメントの個々は、同一色で発光し、同一輝度とされているが、これに限ることはなく、発光色を青、緑、黄というように変えてもよく、この場合の輝度を明、中、暗と変えてもよい。
【符号の説明】
【００３７】
１  信号処理装置、１０  ＣＰＵ、１１  ＲＯＭ、１２  ＲＡＭ、１３  記憶装置、１４  外部装置、１５  インターフェース、１６  操作子、１７  表示部、１８  信号処理部、１９  バス、３０  パネル、３１  モード選択操作子、３２  数値設定操作子、３３  ７セグ表示素子、３４  表示器、１４０−１，１４０−２，…，１４０−ｎ  ＬＥＤ、１４２  ボリューム操作子、Ｌａ〜Ｌｃ  表示素子
【図１】
2017026702.tif 000003
【図２】
2017026702.tif 000004
【図３】
2017026702.tif 000005
【図４】
2017026702.tif 000006
【図５】
2017026702.tif 000007
【図６】
2017026702.tif 000008
【図７】
2017026702.tif 000009
【図８】
2017026702.tif 000010
【図９】
2017026702.tif 000011
【図１０】
2017026702.tif 000012
【図１１】
2017026702.tif 000013